(57)【要約】【課題】ユーザが任意に選択した複数の画像データの表示を容易かつ効果的に行うことのできる撮像装置、画像再生装置、画像再生方法及び画像再生プログラムを提供することである。【解決手段】複数の画像データを、ユーザから操作部１０２を介して入力される区分情報に基づいて画像群として区分けし、区分けされた各画像群に対応した表示領域を表示部１０３に設定し、この表示領域に区分けされた各画像群に含まれる画像データを其々表示させる。【選択図】図３
2005303817.tif 000002
【特許請求の範囲】
【請求項１】
被写体を撮影して画像データを出力する撮影手段と、
前記出力された画像データを記録する記録手段と、
前記記録された画像データの表示を行う表示手段と、
前記記録された複数の画像データを少なくとも１以上の画像群に区分けするための区分情報を撮影時に入力するための入力手段と、
前記入力された区分情報に基づいて前記複数の画像データから特定の画像データを画像群として区分けする区分手段と、
前記表示手段に前記区分けされた各画像群に対応した表示領域を設定し、当該表示領域に前記区分けされた各画像群に含まれる画像データを其々表示させる制御を行う表示制御手段と、
を備えたことを特徴とする撮像装置。
【請求項２】
前記表示制御手段は、前記表示手段に前記区分けされた画像群に含まれる各画像データに対応した表示領域を設定し、当該表示領域に前記区分けされた画像群に含まれる画像データを其々表示させる制御を行うことを特徴とする請求項１に記載の撮像装置。
【請求項３】
前記表示制御手段は、前記画像データをスライドショー形式で表示させる制御を行うことを特徴とする請求項１又は２に記載の撮像装置。
【請求項４】
複数の画像データを記録する記録手段と、
前記記録された画像データの表示を行う表示手段と、
前記記録された複数の画像データを少なくとも１以上の画像群に区分けするための区分情報を入力するための入力手段と、
前記入力された区分情報に基づいて前記複数の画像データから特定の画像データを画像群として区分けする区分手段と、
前記表示手段に前記区分けされた各画像群に対応した表示領域を設定し、当該表示領域に前記区分けされた各画像群に含まれる画像データを其々表示させる制御を行う表示制御手段と、
を備えたことを特徴とする画像再生装置。
【請求項５】
前記表示制御手段は、前記表示手段に前記区分けされた画像群に含まれる各画像データに対応した表示領域を設定し、当該表示領域に前記区分けされた画像群に含まれる画像データを其々表示させる制御を行うことを特徴とする請求項４に記載の画像再生装置。
【請求項６】
前記表示制御手段は、前記画像データをスライドショー形式で表示させる制御を行うことを特徴とする請求項４又は５に記載の画像再生装置。
【請求項７】
複数の画像データを少なくとも１以上の画像群に区分けするための区分情報を入力するための入力工程と、
前記入力された区分情報に基づいて前記複数の画像データから特定の画像データを画像群として区分けする区分工程と、
表示手段に前記区分けされた各画像群に対応した表示領域を設定し、当該表示領域に前記区分けされた各画像群に含まれる画像データを其々表示させる制御を行う表示制御構成と、
を含むことを特徴とする画像再生方法。
【請求項８】
前記表示制御工程は、前記表示手段に前記区分けされた画像群に含まれる各画像データに対応した表示領域を設定し、当該表示領域に前記区分けされた画像群に含まれる画像データを其々表示させる制御を行うことを特徴とする請求項７に記載の画像再生方法。
【請求項９】
前記表示制御工程は、前記画像データをスライドショー形式で表示させる制御を行うことを特徴とする請求項７又は８に記載の画像再生方法。
【請求項１０】
画像データの表示を行うコンピュータに、
複数の画像データを少なくとも１以上の画像群に区分けするための区分情報を入力するための入力機能と、
前記入力された区分情報に基づいて前記複数の画像データから特定の画像データを画像群として区分けする区分機能と、
表示手段に、前記区分けされた各画像群に対応した表示領域を設定し、当該表示領域に前記区分けされた各画像群に含まれる画像データを其々表示させる制御を行う表示制御機能と、
を実現させる画像再生プログラム。
【請求項１１】
前記表示制御機能は、前記区分けされた画像群に含まれる各画像データに対応した表示領域を設定し、当該表示領域に前記区分けされた画像群に含まれる画像データを其々表示させる制御を行うことを特徴とする請求項１０に記載の画像再生プログラム。
【請求項１２】
前記表示制御機能は、前記画像データをスライドショー形式で表示させる制御を行うことを特徴とする請求項１０又は１１に記載の画像再生プログラム。
【発明の詳細な説明】
【技術分野】
【０００１】
本発明は、画像データの再生を行う撮像装置、画像再生装置、画像再生方法及び画像再生プログラムに関する。
【背景技術】
【０００２】
近年、デジタルカメラの普及に伴い、写真店やコンビニエンス・ストア等の店舗で、デジタルカメラで撮影した画像データを記録したデジタルカメラ用メディアから画像データを読み取り、その画像データをＣＤ−Ｒ（Compact Disc-Recordable）等の記録媒体に書
き込んで電子アルバムを作成するサービスが行われるようになってきている。
【０００３】
このように画像データが書き込まれた記録媒体を、ユーザがＰＣ（Personal Computer：パーソナルコンピュータ）やＤＶＤプレーヤ等のコンピュータ機器で再生することで、画像データの鑑賞が行われている。このような場合、記録媒体に記録された複数の画像データをスライドショーとして再生することが行われており、複数の画像データがユーザにより予め定められた順番で一画像ずつ再生されることとなる。従来、このような装置が提案されている（例えば、特許文献１参照）。
【０００４】
一方、複数の画像データをディスプレイ等の表示手段に一度に表示を行う表示装置が提案されており、例えば、画像を扱う端末装置において、予め蓄積しておいた相手静止画像を表示し、２者から３者通話になったときに３者目の静止画像を表示するテレビ電話装置が提案されている（例えば、特許文献２参照）。
【特許文献１】特開２００１−１０３４１５号公報
【特許文献２】特開平１１−３３１７９３号公報
【発明の開示】
【発明が解決しようとする課題】
【０００５】
しかしながら、特許文献１の装置のような従来のスライドショー形式の画像表示方法では、単に画像データがユーザの指定した順番で一画像づつ表示されるのみであるため変化に乏しく、効果的なスライドショーを実現することができない可能性があり、複数の画像データをスライドショーの一画面に表示させるようにする場合は、複数の画像データを１枚の画像データとなるよう予め画像処理を施す必要があるため、操作が煩雑となってしまう。
【０００６】
また、特許文献２の表示方法を従来のスライドショーに替わるものとして適用することが考えられるが、２番目、３番目の画像データが表示されるトリガとなるものは当該２番目、３番目の画像データに対応して登録されたユーザからの通信接続であり、スライドショーのように予め画像データが表示される順序やタイミングを設定することができないため、電子アルバム等の鑑賞のために画像データの表示を行う画像表示装置に適用することは困難である。
【０００７】
本発明の課題は、ユーザが任意に選択した複数の画像データの表示を容易かつ効果的に行うことのできる撮像装置、画像再生装置、画像再生方法及び画像再生プログラムを提供することである。
【課題を解決するための手段】
【０００８】
上記課題を解決するために、請求項１に記載の発明は、
被写体を撮影して画像データを出力する撮影手段と、
前記出力された画像データを記録する記録手段と、
前記記録された画像データの表示を行う表示手段と、
前記記録された複数の画像データを少なくとも１以上の画像群に区分けするための区分情報を撮影時に入力するための入力手段と、
前記入力された区分情報に基づいて前記複数の画像データから特定の画像データを画像群として区分けする区分手段と、
前記表示手段に前記区分けされた各画像群に対応した表示領域を設定し、当該表示領域に前記区分けされた各画像群に含まれる画像データを其々表示させる制御を行う表示制御手段と、
を備えたことを特徴としている。
【０００９】
請求項２に記載の発明は、請求項１に記載の発明において、
前記表示制御手段は、前記表示手段に前記区分けされた画像群に含まれる各画像データに対応した表示領域を設定し、当該表示領域に前記区分けされた画像群に含まれる画像データを其々表示させる制御を行うことを特徴としている。
【００１０】
請求項３に記載の発明は、請求項１又は２に記載の発明において、
前記表示制御手段は、前記画像データをスライドショー形式で表示させる制御を行うことを特徴としている。
【００１１】
また、上記課題を解決するために、請求項４に記載の発明は、
複数の画像データを記録する記録手段と、
前記記録された画像データの表示を行う表示手段と、
前記記録された複数の画像データを少なくとも１以上の画像群に区分けするための区分情報を入力するための入力手段と、
前記入力された区分情報に基づいて前記複数の画像データから特定の画像データを画像群として区分けする区分手段と、
前記表示手段に前記区分けされた各画像群に対応した表示領域を設定し、当該表示領域に前記区分けされた各画像群に含まれる画像データを其々表示させる制御を行う表示制御手段と、
を備えたことを特徴としている。
【００１２】
請求項５に記載の発明は、請求項４に記載の発明において、
前記表示制御手段は、前記表示手段に前記区分けされた画像群に含まれる各画像データに対応した表示領域を設定し、当該表示領域に前記区分けされた画像群に含まれる画像データを其々表示させる制御を行うことを特徴としている。
【００１３】
請求項６に記載の発明は、請求項４又は５に記載の発明において、
前記表示制御手段は、前記画像データをスライドショー形式で表示させる制御を行うことを特徴としている。
【００１４】
また、上記課題を解決するために、請求項７に記載の発明は、
複数の画像データを少なくとも１以上の画像群に区分けするための区分情報を入力するための入力工程と、
前記入力された区分情報に基づいて前記複数の画像データから特定の画像データを画像群として区分けする区分工程と、
表示手段に前記区分けされた各画像群に対応した表示領域を設定し、当該表示領域に前記区分けされた各画像群に含まれる画像データを其々表示させる制御を行う表示制御構成と、
を含むことを特徴としている。
【００１５】
請求項８に記載の発明は、請求項７に記載の発明において、
前記表示制御工程は、前記表示手段に前記区分けされた画像群に含まれる各画像データに対応した表示領域を設定し、当該表示領域に前記区分けされた画像群に含まれる画像データを其々表示させる制御を行うことを特徴としている。
【００１６】
請求項９に記載の発明は、請求項７又は８に記載の発明において、
前記表示制御工程は、前記画像データをスライドショー形式で表示させる制御を行うことを特徴としている。
【００１７】
また、上記課題を解決するために、請求項１０に記載の発明は、
画像データの表示を行うコンピュータに、
複数の画像データを少なくとも１以上の画像群に区分けするための区分情報を入力するための入力機能と、
前記入力された区分情報に基づいて前記複数の画像データから特定の画像データを画像群として区分けする区分機能と、
表示手段に、前記区分けされた各画像群に対応した表示領域を設定し、当該表示領域に前記区分けされた各画像群に含まれる画像データを其々表示させる制御を行う表示制御機能と、
を実現させる。
【００１８】
ここで、「コンピュータ」とは、バスで接続されたＣＰＵ（Central Processing Unit）、ＲＯＭ（Read Only Memory）、ＲＡＭ（Random Access Memory）及びＩ／Ｏを基本構成とする装置であって、マイクロコンピュータ、マイクロプロセッサ等を含み、その組み込み先装置の如何（例えば、キオスク（無人端末）や店頭端末、ＰＣ、ＤＶＤプレーヤ、ＤＶＤレコーダ、ＨＤＤレコーダ、ブルーレイディスクプレーヤ、ブルーレイディスクレコーダ、ホームサーバ、ゲーム機、ＨＤＤナビゲーションシステム等）を問わない。したがって、本発明に係るプログラムは上記コンピュータのＲＯＭに格納され、ＣＰＵの統括的制御下においてＲＡＭに展開され、実行に供されるものであるから、本発明のコンピュータプログラムの技術的範囲は、当該プログラムが搭載されたコンピュータの格納先の装置に及ぶものである（以下、同様）。
【００１９】
請求項１１に記載の発明は、請求項１０に記載の発明において、
前記表示制御機能は、前記区分けされた画像群に含まれる各画像データに対応した表示領域を設定し、当該表示領域に前記区分けされた画像群に含まれる画像データを其々表示させる制御を行うことを特徴としている。
【００２０】
請求項１２に記載の発明は、請求項１０又は１１に記載の発明において、
前記表示制御工程は、前記画像データをスライドショー形式で表示させる制御を行うことを特徴としている。
【発明の効果】
【００２１】
請求項１に記載の発明によれば、複数の画像データを、撮影時にユーザから入力される区分情報に基づいて画像群として区分けし、区分けされた各画像群に対応した表示領域を表示手段に設定し、この表示領域に区分けされた各画像群に含まれる画像データを其々表示させるようにしたことにより、ユーザにより複数の画像群に区分けされたような場合であっても、其々の画像群に含まれる画像データを各画像群に対応した表示領域に同時に表示することが可能であるため、ユーザが任意に選択した複数の画像データの表示を容易かつ効果的に行うことができる。
【００２２】
請求項２に記載の発明によれば、区分けされた画像群に含まれる各画像データに対応した表示領域を表示手段に設定し、この表示領域に区分けされた画像群に含まれる画像データを其々表示させるようにしたことにより、例えば、画像群が唯一存在するような場合であっても、画像群に含まれる各画像データに対応した表示領域に表示することが可能であるため、ユーザが任意に選択した複数の画像データの表示を容易かつ効果的に行うことができる。
【００２３】
請求項３に記載の発明によれば、画像データをスライドショー形式で表示させるようにしたことにより、複数の画像データの表示を効果的に行うことができる。
【００２４】
請求項４、７、１０に記載の発明によれば、複数の画像データを、ユーザから入力される区分情報に基づいて画像群として区分けし、区分けされた各画像群に対応した表示領域を表示手段に設定し、この表示領域に区分けされた各画像群に含まれる画像データを其々表示させるようにしたことにより、ユーザにより複数の画像群に区分けされたような場合であっても、其々の画像群に含まれる画像データを各画像群に対応した表示領域に同時に表示することが可能であるため、ユーザが任意に選択した複数の画像データの表示を容易かつ効果的に行うことができる。
【００２５】
請求項５、８、１１に記載の発明によれば、区分けされた画像群に含まれる各画像データに対応した表示領域を表示手段に設定し、この表示領域に区分けされた画像群に含まれる画像データを其々表示させるようにしたことにより、例えば、画像群が唯一存在するような場合であっても、画像群に含まれる各画像データに対応した表示領域に表示することが可能であるため、ユーザが任意に選択した複数の画像データの表示を容易かつ効果的に行うことができる。
【００２６】
請求項６、９、１２に記載の発明によれば、画像データをスライドショー形式で表示させるようにしたことにより、複数の画像データの表示を効果的に行うことができる。
【発明を実施するための最良の形態】
【００２７】
以下、図を参照して、本発明を実施するための最良の形態を詳細に説明する。なお、本実施の形態では、デジタルカメラに本発明の撮像装置及び画像再生装置を適用している。
【００２８】
本実施の形態に係るデジタルカメラ１０の機能的構成を図２のブロック図を用いて説明する。図１に示すように、デジタルカメラ１０は、ＣＰＵ１０１、操作部１０２、表示部１０３、撮影手段１０４、ＲＯＭ１０５、ＲＡＭ１０６、記憶部１０７、メディア記録手段１０８、等を備えて構成され、各部はバス１０９により接続されている。
【００２９】
ＣＰＵ１０１は、操作部１０２から入力される各種指示に従って、ＲＯＭ１０５に記録されているデジタルカメラ１０に対応する各種プログラムの中から指定されたプログラムをＲＡＭ１０６のワークエリアに展開し、上記プログラムとの協働によって各種処理を実行し、その処理結果をＲＡＭ１０６の所定の領域に格納するとともに、表示部１０３に表示させる。
【００３０】
具体的に、ＣＰＵ１０１は、操作部１０２を介してユーザから入力される区分信号に基づいて、デジタルカメラ１０で撮影して得られた複数の画像データを一又は複数の画像群に分類する。
【００３１】
操作部１０２は、レリーズボタン、選択ボタン等の各種機能ボタン等を備え、各ボタン操作による押下信号をＣＰＵ１０１に出力する。
【００３２】
表示部１０３は、ＬＣＤ（Liquid Crystal Display）パネル等により構成され、ＣＰＵ１０１から入力される表示データに基づいて画面表示を行う。また、表示部１０３は、撮影時に撮影手段１０４の撮像素子から取り込まれた画像データをプレビュー表示するとともに、撮影した画像データを表示する。
【００３３】
撮影手段１０４は、光学レンズ、及びＣＣＤ（Charge Coupled Device）やＣＭＯＳ（Complementary Metal Oxide Semiconductor）等の撮像素子により構成され、光学レンズを介して入力される画像を撮像素子で電気信号に変換し、画像データを取得する。
【００３４】
ＲＯＭ１０５は、不揮発性の半導体メモリで構成される。ＲＯＭ１０５は、ＣＰＵ１０１により実行されるデジタルカメラ用の各種アプリケーションプログラム等を記憶する。
【００３５】
ＲＡＭ１０６は、書き換え可能な半導体素子で構成される。ＲＡＭ１０６は、データが一時的に保存される記憶媒体であり、ＣＰＵ１０１が実行するためのプログラムを展開するためのプログラムエリア、操作部１０２から入力されるデータやＣＰＵ１０１による各種処理結果等を保存するためのデータエリア、等が形成される。
【００３６】
記憶部１０７は、ＣＰＵ１０１により実行される各種プログラムの実行時に必要なデータやデジタルカメラ１０の設定情報等を記憶している。
【００３７】
メディア記録手段１０８は、図示しないメディア装填部を有し、ＣＰＵ１０１の制御に従って、メディア記録手段１０８に装填されたメディア２０に、撮影して得られた画像データや区分情報を書き込む。デジタルカメラ１０で利用されるメディア２０としては、スマートメディア、コンパクトフラッシュ（登録商標）、メモリースティック（登録商標）、ＳＤメモリーカード、マルチメディアカード等が用いられる。
【００３８】
次に、図２のフローチャートを参照してデジタルカメラ１０の撮影時に撮影済みの画像データを画像群として区分する際の手順について説明する。なお、動作説明の前提として、以下のフローチャートに記述されている各処理を実現するためのプログラムは、コンピュータが読み取り可能なプログラムコードの形態でＲＯＭ１０５、記憶部１０７に記憶されており、ＣＰＵ１０１は、当該プログラムコードに従った動作を実行する。
【００３９】
まず、ユーザから操作部１０２を介して撮影を行う旨の指示が入力されると、ＣＰＵ１０１によりデジタルカメラ１０が撮影可能な状態へと移行される（ステップＳ１１；Ｙｅｓ）。
【００４０】
次いで、ユーザにより操作部１０２を介してレリーズ操作が行われた旨の信号を受け取ると（ステップＳ１２）、その際に撮影手段１０４により被写体の画像データが取得され、メディア記録手段１０８に装填されたメディア２０に記録される（ステップＳ１３）。
【００４１】
この際、ユーザは、この時点までに撮影した画像データを画像群として区分けすることが可能であり、操作部１０２を介して画像群に区分けする旨の指示を入力することができる。ここで、ユーザから区分けする旨の区分情報が入力されると（ステップＳ１４；Ｙｅｓ）、この区分情報が入力される時点までに撮影された画像データが画像群として区分けされて（ステップＳ１５）、ステップＳ１６に移行する。なお、ユーザから既に区分情報が入力されているような場合には、前回入力された区分情報の直後に撮影された画像データから、新たな区分情報が入力される時点までに撮影された画像データが画像群として区分けされる。
【００４２】
図３（ａ）、（ｂ）及び図４を参照して、ステップＳ１５の処理を説明する。図３（ａ）はメディア２０に記録されている画像データの状態を模式的に示しており、撮影手段１０４で撮影された画像データ１〜８までが記録されている。ここで、区分情報１は、画像３まで撮影された際にユーザにより操作部１０２を介して入力された区分情報を示しており、区分情報２は、画像８まで撮影された際にユーザにより操作部１０２を介して入力された区分情報を示している。ステップＳ１５では、このように入力された区分情報に基づいて、図３（ｂ）で示すように、画像１〜画像３が画像群１、画像４〜画像８が画像群２として区分されることになる。
【００４３】
さらに、ステップＳ１５では、上記のように画像群として区分された画像データが、どの画像群に属すのか識別可能な形態でメディア２０に記録される。図４（ａ）〜（ｄ）は、ユーザから入力された区分情報に基づいて画像群に区分けされた際にメディア２０に記録される、画像データ（Ｉｍａｇｅ００１．ｊｐｇ〜Ｉｍａｇｅ００３）のファイル構成例を示している。なお、ここでは、図３（ａ）で示した区分情報１に基づいて図３（ｂ）で示した画像群１に区分けされた場合の画像データのファイル構成を示しており、画像データのファイル名は、撮影順にＩｍａｇｅ００１〜Ｉｍａｇｅ００３と番号が昇順にメディア２０への記録の際に生成されるものとする。
【００４４】
図４（ａ）のファイル構成例では、画像データであるＩｍａｇｅ００１．ｊｐｇ〜Ｉｍａｇｅ００３．ｊｐｇが、一つの画像群であることを示すファイル（Ｉｍａｇｅ００１−００３．ｄｉｖ）と対応付けて記録されている。ここでは、ファイル（Ｉｍａｇｅ００１−００３．ｄｉｖ）のファイル名に画像群に含まれる画像データの最初と最後のファイル名を示す「００１−００３」と記すことで、Ｉｍａｇｅ００１．ｊｐｇ〜Ｉｍａｇｅ００３．ｊｐｇまでが一つの画像群であることを示している。
【００４５】
図４（ｂ）のファイル構成例では、画像データであるＩｍａｇｅ００１．ｊｐｇ〜Ｉｍａｇｅ００３．ｊｐｇが、一つの画像群であることを示す区分情報としてのファイル（Ｉｍａｇｅ００３．ｄｉｖ）と対応付けて記録されている。ここでは、画像群に含まれる最後の画像データのファイル名「００３」と記すことで、Ｉｍａｇｅ００１．ｊｐｇ〜Ｉｍａｇｅ００３．ｊｐｇまでが一つの画像群であることを示している。
【００４６】
図４（ｃ）のファイル構成例では、画像データであるＩｍａｇｅ００１．ｊｐｇ〜Ｉｍａｇｅ００３．ｊｐｇが、一つの画像群であることを示す区分情報としてのファイル（Ｉｎｆｏ００１．ｄｉｖ）と対応付けて記録されている。なお、ファイル（Ｉｎｆｏ００１．ｄｅｖ）内に、この画像群に含まれる画像データのファイル名（Ｉｍａｇｅ００１．ｊｐｇ〜Ｉｍａｇｅ００３．ｊｐｇ）と記すことにより、Ｉｍａｇｅ００１．ｊｐｇ〜Ｉｍａｇｅ００３．ｊｐｇまでが一つの画像群であることを示している。
【００４７】
図４（ｄ）のファイル構成例では、画像データであるＩｍａｇｅ００１．ｊｐｇ〜Ｉｍａｇｅ００３．ｊｐｇが、一つの画像群であることを示す区分情報として当該画像群を記録させるフォルダ（Ｒｏｌｌ００１）が対応付けて記録されている。このように画像群に含まれる画像データ（Ｉｍａｇｅ００１．ｊｐｇ〜Ｉｍａｇｅ００３．ｊｐｇ）が一つの画像群であることをフォルダ単位で示している。
【００４８】
本実施の形態では、上記４つのファイル構成例を挙げたが、これに限らず、例えば、画像データが付帯する付帯情報に画像群として識別可能な情報を記録させることとしてもよい。
【００４９】
このように、特定の画像群に含まれる画像データを識別可能に記録することにより、上記したファイル構成を読み取り可能な装置では、複数の画像データを画像群単位で取り扱うことが可能となる。
【００５０】
図２に戻り、ステップＳ１４でユーザから区分情報の入力が無い場合は（ステップＳ１４；Ｎｏ）、ステップＳ１６に移行する。
【００５１】
ステップＳ１６では、撮影終了か否かが判断され、さらに撮影を行うような撮影続行である場合には（ステップＳ１６；Ｎｏ）、再度ステップＳ１２に戻る。一方、ユーザから撮影終了の旨の指示が操作部１０２を介して入力された際には（ステップＳ１６；Ｙｅｓ）、本処理は終了する。
【００５２】
なお、撮影時の区分情報入力による画像群の区分け方法は上記例に限らず、例えば、奇数番目は画像群１、偶数番目は画像群２と予め撮影する順序で区分けするよう区分情報が入力されてもよく、撮影前又は撮影後にこの撮影にかかる画像データに対して区分情報を入力し、画像群に区分けすることとしてもよい。
【００５３】
次に、図５のフローチャートを参照してデジタルカメラ１０のメディア２０に記録された複数の画像データを画像群として区分けする際の手順について説明する。なお、動作説明の前提として、以下のフローチャートに記述されている各処理を実現するためのプログラムは、コンピュータが読み取り可能なプログラムコードの形態でＲＯＭ１０５、記憶部１０７に記憶されており、ＣＰＵ１０１は、当該プログラムコードに従った動作を実行する。
【００５４】
まず、ユーザから操作部１０２を介して画像データを画像群に区分けする旨の指示が入力されると、ＣＰＵ１０１によりデジタルカメラ１０が、画像データを区分することが可能な状態へと移行される（ステップＳ２１；Ｙｅｓ）。
【００５５】
次いで、表示部１０３にメディア２０に記録された全画像データのサムネイル画像が一覧表示される（ステップＳ２２）。なお、ここで表示部１０３の一画面中に表示しきれないような場合は、ユーザから操作部１０２を介して入力されるスクロール操作や画面（頁）切替操作等により表示されるサムネイル画像を更新表示して、全画像データのサムネイル画像が表示されるものとする。
【００５６】
続いて、表示部１０３に表示されたサムネイル画像一覧から、ユーザにより所望するサムネイル画像が操作部１０２を介して選択され、その入力された情報が区分情報として入力されると（ステップ２３；Ｙｅｓ）、当該区分情報に基づき、選択されたサムネイル画像に対応する画像データが画像群として区分けされる（ステップＳ２４）。
【００５７】
次いで、画像群設定が完了したか否かが判断され、さらに画像群として選択を行うような画像群設定続行である場合には（ステップＳ２５；Ｎｏ）、再度ステップＳ２３に戻る。一方、ユーザから画像群設定終了の旨の指示が操作部１０２を介して入力された際には（ステップＳ２５；Ｙｅｓ）、本処理は終了する。
【００５８】
ここで、図６、７を参照して、ステップＳ２４の区分処理を説明する。図６（ａ）はメディア２０に記録されている画像データの状態を模式的に示しており、画像データ１〜１０までが記録されている。ここで、ユーザから操作部１０２を介して画像４、５、７、１０が選択され区分情報として入力されたとすると、この区分情報に基づいて図６（ｂ）で示すように、画像４、５、７、１０が画像群１として区分けされることになる。
【００５９】
また、図７（ａ）はメディア２０に記録されている画像データの状態を模式的に示しており、画像データ１〜１０までが記録されている。ここで、ユーザから操作部１０２を介して画像４、５、７、１０が選択され区分情報として入力された後、さらに残りの画像１、２、３、６、８、９が選択されて区分情報として入力されたとすると、この区分情報に基づいて図７（ｂ）で示すように、画像４、５、７、１０が画像群１として、画像１、２、３、６、８、９が画像群２として区分けされることになる。
【００６０】
なお、ステップＳ２４の処理では、図２のステップＳ１５で説明したように区分された画像データが、どの画像群に属すのか識別可能な形態でメディア２０に記録が行われ、その際の画像データ及び区分情報のファイル構成は、図４（ａ）〜（ｄ）で示したものと同様であるとする。
【００６１】
次に、図８のフローチャートを参照して、上記のように区分けされた画像データを再生する際の手順について説明する。なお、動作説明の前提として、以下のフローチャートに記述されている各処理を実現するためのプログラムは、コンピュータが読み取り可能なプログラムコードの形態でＲＯＭ１０５、記憶部１０７に記録されており、ＣＰＵ１０１は、当該プログラムコードに従った動作を実行する。
【００６２】
まず、ユーザから操作部１０２を介して画像データの再生を行う旨の指示が入力されると、ＣＰＵ１０１によりデジタルカメラ１０が画像データの再生可能な状態へと移行される（ステップＳ３１；Ｙｅｓ）。
【００６３】
次いで、メディア２０に記録されたファイル構成が読み込まれ（ステップＳ３２）、この読み込まれたファイル構成に基づいてメディア２０内に画像群がいくつあるかが判断される（ステップＳ３３）。なお、ここで読み込まれるファイル構成とは、図４で示したファイル構成を意味しており、画像データが付帯する付帯情報等に当該画像データが属する画像群を識別する情報が記録されているような場合は、メディア２０内の全画像データの付帯情報が読み込まれるものとする。
【００６４】
ステップＳ３３でメディア２０内に画像群が唯一存在するような場合（ステップＳ３３；単）、その画像群に含まれる各画像データに対応した表示領域が表示部１０３に設定されて（ステップＳ３４）、ステップＳ３６に移行する。
【００６５】
一方、ステップＳ３３でメディア２０内に複数の画像群が存在するような場合（ステップＳ３３；複）、各画像群に対応した表示領域が表示部１０３に設定されて（ステップＳ３５）、ステップＳ３６に移行する。
【００６６】
続いて、各画像群から一の画像データがメディア２０から読み込まれて（ステップＳ３６）、対応した表示領域に表示される（ステップＳ３７）。つまり、画像群が唯一存在しているような場合は、その画像群から一の画像データが読み込まれ、その画像データに対応して設定された表示領域に表示されることになる。また、画像群が複数存在するような場合は、各画像群から一の画像データが読み込まれ、各画像群に対応した表示領域に読み込まれた画像データが其々表示されることになる。なお、ここで画像データが読み込まれる順は、画像データの生成日時（撮影）順であるとするが、これに限らず、ユーザにより選択された順等であってもよい。
【００６７】
次いで、画像データを表示領域に表示してから所定時間が経過したかが判断され（ステップＳ３８）、所定時間が経過した場合（ステップＳ３８；Ｙｅｓ）、次に表示すべき画像データが画像群にあるか否かが判別される（ステップＳ３９）。
【００６８】
ステップＳ３９で画像群に表示すべき画像データがある場合（ステップＳ３９；Ｙｅｓ）、ステップＳ３６に移行し、次の一の画像データが取得されて対応する表示領域に表示され、ステップＳ３６〜Ｓ３９が繰返し実行される。また、画像群に表示すべき画像データが存在しない場合（ステップＳ３９；Ｎｏ）、全ての画像データの表示が終了したと判断されて、本処理は終了する。
【００６９】
ここで、図３、図６、図７を参照して、上記ステップＳ３４又はステップＳ３５で表示部１０３に設定される表示領域について説明する。
【００７０】
図３（ｃ）は、ステップＳ３５で表示部１０３に設定された表示領域の一例を示す図である。ここで、表示領域１０３ａ、１０３ｂは、図３（ａ）、（ｂ）の説明で区分けされた画像群１及び画像群２に基づいて設定された表示領域を示しており、表示領域１０３ａは画像群１、表示領域１０３ｂは画像群２と、各画像群に対応した表示領域が其々設定される。そして、ステップＳ３６〜ステップＳ３９の処理により、各画像群に含まれる画像データが、各画像群に対応した表示領域に其々順次再生表示されてスライドショー表示が行われる。
【００７１】
また、図６（ｃ）は、ステップＳ３４で表示部１０３に設定された表示領域の一例を示す図である。ここで、表示領域１０３ａ、１０３ｂ、１０３ｃ、１０３ｄは、図６（ａ）、（ｂ）で区分けされた画像群１に基づいて設定された表示領域を示しており、画像群１に含まれる画像データ（画像４、５、７、１０）に対応した表示領域が其々設定される。そして、ステップＳ３６〜ステップＳ３９の処理により、画像群１に含まれる画像データが、各画像データに対応した表示領域に其々順次再生表示されてスライドショー表示が行われる。
【００７２】
また、図７（ｃ）は、ステップＳ３５で表示部１０３に設定された表示領域の一例を示す図である。ここで、表示領域１０３ａ、１０３ｂは、図７（ａ）、（ｂ）の説明で区分けされた画像群１及び画像群２に基づいて設定された表示領域を示しており、表示領域１０３ａは画像群１、表示領域１０３ｂは画像群２と、各画像群に対応した表示領域が其々設定される。そして、ステップＳ３６〜ステップＳ３９の処理により、各画像群に含まれる画像データが、各画像群に対応した表示領域に其々順次再生表示されてスライドショー表示が行われる。
【００７３】
なお、ここで、表示領域に表示された画像データがスライドショー表示されることとしたが、これに限らず、例えば、複数の表示領域のうち、特定の表示領域のみをスライドショー表示させてもよいし、各表示領域に画像データが表示される時間間隔をランダムにして表示させてもよい。また、画像群がメディア２０に唯一存在するような場合、画像群に含まれる全ての画像データを対応する表示領域に同時に表示するようにしてもよい。
【００７４】
以上のように、本実施の形態によれば、複数の画像データを、ユーザから操作部１０２を介して入力される区分情報に基づいて画像群として区分けし、区分けされた各画像群に対応した表示領域を表示部１０３に設定し、この表示領域に区分けされた各画像群に含まれる画像データを其々表示させるようにしたことにより、複数の画像群がユーザにより区分けされたような場合であっても、其々の画像群に含まれる画像データを各画像群に対応した表示領域に同時に表示することが可能であるため、ユーザが任意に選択した複数の画像データの表示を容易かつ効果的に行うことができる。
【００７５】
また、この区分けされた画像群に含まれる各画像データに対応した表示領域を表示部１０３に設定し、この表示領域に区分けされた画像群に含まれる画像データを其々表示させるようにしたことにより、例えば、画像群が唯一存在するような場合であっても、画像群に含まれる各画像データに対応した表示領域に表示することが可能であるため、ユーザが任意に選択した複数の画像データの表示を容易かつ効果的に行うことができる。
【００７６】
さらに、画像データをスライドショー形式で表示させるようにしたことにより、複数の画像データの表示を効果的に行うことができる
【００７７】
なお、本実施の形態における記述は、本発明に係る撮像装置及び画像再生装置の一例を示すものであり、これに限定されるものではない。また、本実施の形態におけるデジタルカメラ１０の細部構成及び詳細動作に関しては、本発明の趣旨を逸脱しない範囲で適宜変更可能である。
【００７８】
例えば、本発明の撮像装置として、デジタルカメラ１０を用いて説明したが、これに限らず、カメラ機能を有した携帯電話端末やＰＤＡ（Personal Digital Assistance）、ビデオカメラ等であってもよい。また、本発明の画像再生装置として、デジタルカメラ１０を用いて説明したが、これに限らず、画像データの表示が可能な携帯電話端末やＰＤＡ、ＰＣ、ＤＶＤプレーヤ、ＤＶＤレコーダ、ＨＤＤレコーダ、ブルーレイディスクプレーヤ、ブルーレイディスクレコーダ、ホームサーバ、ゲーム機、ＨＤＤナビゲーションシステム等であってもよい。
【図面の簡単な説明】
【００７９】
【図１】デジタルカメラの機能的構成を示すブロック図である。
【図２】デジタルカメラの撮影時に画像データを画像群に区分する区分処理を示すフローチャートである。
【図３】（ａ）メディアに記録されている画像データの状態を模式的に示した図である。（ｂ）区分情報に基づいて画像群に区分けされた状態を模式的に示した図である。（ｃ）区分情報に基づいて表示部に設定された表示領域の一例を示す図である。
【図４】画像データのファイル構成例を示す図である。
【図５】画像データを画像群に区分する区分処理を示すフローチャートである。
【図６】（ａ）メディアに記録されている画像データの状態を模式的に示した図である。（ｂ）区分情報に基づいて画像群に区分けされた状態を模式的に示した図である。（ｃ）区分情報に基づいて表示部に設定された表示領域の一例を示す図である。
【図７】（ａ）メディアに記録されている画像データの状態を模式的に示した図である。（ｂ）区分情報に基づいて画像群に区分けされた状態を模式的に示した図である。（ｃ）区分情報に基づいて表示部に設定された表示領域の一例を示す図である。
【図８】画像群に区分けされた画像データの画像データ再生処理を示すフローチャートである。
【符号の説明】
【００８０】
１０  デジタルカメラ（撮像装置、画像再生装置）
１０１  ＣＰＵ（区分手段、表示制御手段）
１０２  操作部（入力手段）
１０３  表示部（表示手段）
１０４  撮影手段（撮影手段）
１０５  ＲＯＭ
１０６  ＲＡＭ
１０７  記憶部
１０８  メディア記録手段
１０９  バス
２０  メディア（記録手段）
【図１】
2005303817.tif 000003
【図２】
2005303817.tif 000004
【図３】
2005303817.tif 000005
【図４】
2005303817.tif 000006
【図５】
2005303817.tif 000007
【図６】
2005303817.tif 000008
【図７】
2005303817.tif 000009
【図８】
2005303817.tif 000010